(57)【要約】    【課題】収納されるフィルタの保守点検、性能試験或いは交換作業を簡便に行うことができる空調フィルタユニットを提供すること。    【解決手段】天井２に形成した開口部３を通して天井裏側に設置される空調フィルタユニットであって、フィルタを収納するユニット本体２１と、前記ユニット本体２１下端に設けたフィルタ装着口を覆うカバー材２６と、を備えており、前記カバー材２６の周辺部２６ａに設けたファスナーの雄部材２７を前記フィルタ装着口の周縁部（枠材２４）に設けたファスナーの雌部材２８、２９に係合、離脱させることで、前記カバー材２６を前記ユニット本体２１下端のフィルタ装着口の周縁部（枠材２４）に取り付け取り外し可能としたことを特徴とする。  【選択図】図３
2006263652.tif 000002
【特許請求の範囲】
【請求項１】
天井に形成した開口部を通して天井裏側に設置される空調フィルタユニットであって、
フィルタを収納するユニット本体と、
前記ユニット本体下端に設けたフィルタ装着口を覆うカバー材と、
を備えており、前記カバー材周辺部に設けたファスナーの雄部材を前記フィルタ装着口周縁部に設けたファスナーの雌部材に係合、離脱させることで、前記カバー材を前記ユニット本体下端のフィルタ装着口周縁部に取り付け取り外し可能としたことを特徴とする空調フィルタユニット。
【請求項２】
ユニット本体下端のフィルタ装着口周縁部にカバー材の一辺を蝶番を介して開閉自在に取り付けたことを特徴とする請求項１記載の空調フィルタユニット。
【請求項３】
ユニット本体下端のフィルタ装着口に枠体を取り付けて周縁部としたことを特徴とする請求項１又は２記載の空調フィルタユニット。
【請求項４】
ファスナーの雄部材は先端部に被係合部を形成したピンからなり、ファスナーの雌部材は前記雄部材が挿入される貫通孔と、前記雄部材を貫通孔に挿入した時に前記雄部材の被係合部に係合する係合バネとを備えた固定板からなることを特徴とする請求項１記載の空調フィルタユニット。
【請求項５】
雄部材のピン先端部周面に線状凹部を形成する共に、雌部材の一対の板バネを固定板の貫通孔周りから同貫通孔を跨るように立ち上げて前記各板バネ先端が突き合わせ状態となるように取り付け、前記ピンを固定板の貫通孔に挿入したときに前記各板バネが押し開らかれて、前記各板バネ端部が前記ピンの線状凹部に係合するようにしたことを特徴とする請求項４記載の空調フィルタユニット。
【請求項６】
ファスナーの雄部材は先端部に係合部を形成したピンからなり、ファスナーの雌部材は前記雄部材の係合部が係合する係合バネからなることを特徴とする請求項１記載の空調フィルタユニット。
【請求項７】
雄部材のピン先端部周面の軸方向と交叉する方向となるよう一カ所に線状凹部を形成する共に、雌部材の両端部をコイル状に巻回して取り付け部とすると共に、前記両端部を結ぶ直線部分に前記ピンの線状凹部が係合するようにしたことを特徴とする請求項６記載の空調フィルタユニット。
【発明の詳細な説明】
【技術分野】
【０００１】
本発明は、例えばクリーンルーム等で温度や湿度の制御された空気の吹き出し口として使用される空調フィルタユニットに関する。詳細には天井に形成した開口部を通して天井裏側に設置され、収納されるフィルタの保守点検、性能試験或いは交換作業を簡便に行うことができる空調フィルタユニットに関する。
【背景技術】
【０００２】
従来より、半導体工場、精密機械工場、或いは薬品製造工場などのクリーンルームでは、温度や湿度の制御された空気を導風ダクトによって導き、クリーンルームの天井に設けた吹き出し口から室内に供給するシステムが採用されている。
【０００３】
図６および図７に示すように、クリーンルームＣの天井２には開口部３が形成され、この開口部３を通して天井裏側に導風ダクト（図示しない）を接続した空調フィルタユニットが設置され、この空調フィルタユニットを通して温度や湿度の制御された空気がクリーンルームＣ内に吹き出されるようになっている。
【０００４】
この空調フィルタユニットのユニット本体１内には、ＨＥＰＡフィルタ（高性能粒子捕捉用フィルタ、High Efficiency Paticulate AirFilter ）が収納されるようになっており、当該フィルタが目詰まりした際には、ユニット本体１下端のフィルタ装着口１ａを覆うカバー材４をユニット本体１から取り外して、フィルタ交換を行う必要があった。
【０００５】
一般にＨＥＰＡフィルタは寿命が長く、目詰まりにより交換をしなければならなくなるまでの時間が長いことから、前記ユニット本体１下端のフィルタ装着口１ａを覆うカバー材４の取り外しは頻繁に行う必要が無かった。
【０００６】
このため、カバー材４は、ボルトやビスなどの安価な取付手段５を用いてユニット本体１下端のフィルタ装着口１ａに取り付けられていた。
【０００７】
ところが、薬品製造工場のクリーンルームなどでは、ＨＥＰＡフィルタの保守点検や濾過性能試験を空調フィルタユニット毎に頻繁に行う必要があり、その都度、ボルトやビスなどの取付手段５を外してカバー材４をユニット本体１から取り外さなければならないという煩雑さがあった。
【０００８】
また、カバー材４の多くは、鋼板製のパンチングメタルを用いて製造されていて重いので、当該カバー材４の取り外し作業は２人以上で行わなければならず、多くの人手と手間を要していた。
【０００９】
そこで、従来、薬品製造工場などのクリーンルームの天井に設置される空調フィルタユニットの交換作業の繁雑さという技術課題に着目し、その解消を図った空調フィルタユニットの取付構造が提案されている（特許文献１参照）。
【００１０】
この空調フィルタユニットの取付構造は、図８および図９に示すように、天井１２に形成された開口部１３の内側に固定される下側支持枠１４と、下側支持枠１４上に載置されるフィルタユニット本体１１と、フィルタユニット本体１１上に固定される空気を供給する給気ボックス１５と、前記下側支持枠１４との間でフィルタユニット本体１１を挟持する上側支持金具１６と、前記下側支持枠１４と上側支持金具１６とを締結する締結具（第１のナット１７、ネジロッド１８、第２のナット１９、）とを備えたものである。
【特許文献１】特開２０００−１７１０６８号公報
【発明の開示】
【発明が解決しようとする課題】
【００１１】
ところが、上記空調フィルタユニットの取付構造にあっては、作業員が天井裏側でフィルタユニットの交換を行うようになっているため、天井材に人がその上に乗って作業ができる程度の強度を有するものを用いるなど、天井自体を特別な構造としなければならなかった。
【００１２】
また、上記空調フィルタユニットの取付構造の場合、フィルタユニットの交換は、フィルタユニット本体１１を挟持固定する下側支持枠１４と上側支持金具１６とを締結する締結具（第１のナット１７、ネジロッド１８、第２のナット１９、）の締結、解除という作業を作業員が狭い天井裏に入って行う必要があり、大変に煩雑であった。
【００１３】
本発明は、このような技術的課題に鑑みなされたものであり、収納されるフィルタの保守点検、性能試験或いは交換作業を簡便に行うことができる空調フィルタユニットを提供することを目的とするものである。
【課題を解決するための手段】
【００１４】
上記目的を達成するため、本発明は、天井に形成した開口部を通して天井裏側に設置される空調フィルタユニットであって、
フィルタを収納するユニット本体と、
前記ユニット本体下端に設けたフィルタ装着口を覆うカバー材と、
を備えており、前記カバー材周辺部に設けたファスナーの雄部材を前記フィルタ装着口周縁部に設けたファスナーの雌部材に係合、離脱させることで、前記カバー材を前記ユニット本体下端のフィルタ装着口周縁部に取り付け取り外し可能としたことを特徴とする空調フィルタユニットをその要旨とした。
【発明の効果】
【００１５】
本発明の空調フィルタユニット（以下、単にユニットという）にあっては、カバー材周辺部に設けたファスナーの雄部材を前記フィルタ装着口周縁部に設けたファスナーの雌部材に係合、離脱させるという単純な操作で、前記カバー材を前記ユニット本体下端のフィルタ装着口周縁部に取り付け取り外しができ、フィルタの保守点検、性能試験或いは交換作業を簡便に行うことができる。
【発明を実施するための最良の形態】
【００１６】
以下、本発明のユニットをさらに詳しく説明する。図１および図２に示すように、クリーンルームＣの天井２には開口部３が形成され、この開口部３を通して天井裏側に本発明のユニットが設置されるようになっている。
【００１７】
本発明のユニットは、天井２に形成した開口部３に対応する外径を有する箱形のユニット本体２１を備えている。このユニット本体２１は、天井裏側のスラブ６内に固定した吊りボルト７によって吊り下げ状態に取り付けられる。
【００１８】
ユニット本体２１上部には導風ダクト接続口２２が設けられており、この導風ダクト接続口２２に接続される導風ダクト（図示しない）を通して温度や湿度の制御された空気がユニット本体２１内へと導かれるようになっている。また、ユニット本体２１内にはフィルタ２３が収納されており、このフィルタ２３によってユニット本体２１内に導かれた空気中の微細な塵埃が取り除かれ、清浄な空気となってユニット本体２１下端のフィルタ装着口２１ａからクリーンルームＣ内に吹き出されるようになっている。
【００１９】
ユニット本体２１内には１個または複数個のフィルタ２３が収納されるようになっており、使用するフィルタ２３としては、ＨＥＰＡフィルタが望ましい。ユニット本体２１内に収納するフィルタの種類、個数については、要求されるフィルタ性能に応じて適宜決定するとよい。
【００２０】
また、ユニット本体２１下端は断面略Ｌ型に折り曲げ加工されており、この折り曲げ部分に枠体２４がビスなど２５により取り付けられている。枠体２４は、ユニット本体２１下端のフィルタ装着口２１ａの周縁部を構成するものである。図１および図３に示す例では断面略乙の字型に折り曲げ加工された枠材２４をユニット本体２１下端に取り付けた。このユニット本体２１を天井裏側に吊りボルト７によって吊り下げ状態に取り付けたとき、図３に示すように、枠材２４の外縁が天井２に形成した開口部３縁部に当接してこれを覆い、開口部３縁部の見栄えを良くすると共に、さらにコーキングなどを施して開口部３縁部からのエアーリークの発生を防止するようになっている。
【００２１】
尚、図示の例では、ユニット本体２１下端は外側に断面略Ｌ型に折り曲げ加工されているが、内側に折り曲げ加工してもよい。また、図示の例では、ユニット本体２１下端に枠体２４を取り付けて、ユニット本体２１下端のフィルタ装着口２１ａの周縁部としたが、図４に示すように、枠体２４という別部材を使用しないで、ユニット本体２１下端の折曲部分そのものを周縁部として使用することもできる。
【００２２】
この枠材２４（フィルタ装着口２１ａの周縁部）にファスナーの雌部材が設けられている。ファスナーの雌部材は、後述するファスナーの雄部材が挿入される貫通孔と、前記雄部材を貫通孔に挿入した時に前記雄部材の被係合部に係合する係合バネとを備えた固定板からなる。尚、固定板と係合バネとは一体でも別体でもよい。
【００２３】
図３に示す例では、固定板とバネとが別体に設けられたものであり、一対の板バネ２９、２９を固定板２８の貫通孔（図示しない）周りから同貫通孔（図示しない）を跨るように立ち上げて前記各板バネ２９、２９先端が突き合わせ状態となるように取り付けたものをファスナーの雌部材として用いた。固定板の両側にはそれぞれビス孔（図示しない）が形成されており、このビス孔（図示しない）を利用して当該固定板２８がフィルタ装着口２１ａの周縁部である枠体２４に取り付けられている。
【００２４】
このユニット本体２１下端のフィルタ装着口２１ａを覆うようにカバー材２６がフィルタ装着口２１ａ周縁部に取り付けられる。カバー材２６は、フィルタ装着口２１ａを覆ってユニット本体２１内部を保護する他に、ユニット本体２１内部から部品類が脱落した場合の受け皿としての役割と、ユニット本体２１の外観上の見栄えを良くする役目とがある。
【００２５】
カバー材２６として、図示の例では焼き付け塗装された鋼板製のパンチング板を用いたが、ステンレスなどの耐食性、加工性に富む材料からなるものでも用いることができる。
【００２６】
このカバー材２６の周辺部２６ａにはファスナーの雄部材が設けられている。図３に示す例では、カバー材２６の周辺部２６ａに先端部周面の軸方向に対向する二カ所に線状凹部２７ａを形成したピン２７をファスナーの雄部材として設けた。このピン２７の基部（カバー材２６の厚み分の長さよりも先端側）には全周にわたって取付用の溝（図示しない）が設けられており、当該ピン２７をカバー材２６表側から周辺部２６ａに設けた取付孔（図示しない）に通し、カバー材２６裏面側に飛び出たピン２７の溝（図示しない）にリング２７ｂを嵌め込むことで、ピン２７のカバー材２６の周辺部２６ａへの取り付けがなされるようになっている。
【００２７】
そして、このカバー材２６の周辺部２６ａに設けた（ファスナーの雄部材としての）ピン２７をフィルタ装着口２１ａの枠材２４に設けた（ファスナーの雌部材としての）固定板２８の貫通孔（図示しない）に挿入したとき、固定板２８の先端が突き合わせ状態となるように設けた各板バネ２９、２９がピン２７の挿入時の押圧力によって押し開らかれ、前記各板バネ２９、２９の先端が前記ピン２７の線状凹部２７ａに係合し、カバー材２６のフィルタ装着口２１ａの周縁部への取り付けがなされるようになっている。
【００２８】
カバー材２６を取り外す場合は、ピン２７を９０°回転させることで、線状凹部２７ａに係合していた各板バネ２９、２９が、ピン２７先端部周面の線状凹部２７ａが形成されていない面に当接し、線状凹部２７ａに係合していた各板バネ２９、２９が押し開らかれて、係合状態が解除されるようになっている。
【００２９】
以上のように、カバー材２６のフィルタ装着口２１ａの周縁部への取り付けは、カバー材２６の周辺部２６ａに設けた雄部材としてのピン２７を、枠材２４（フィルタ装着口２１ａの周縁部）にファスナーの雌部材として設けた固定板２８の貫通孔（図示しない）に挿入するだけであり、その解除もピン２７を９０°回転させるという単純操作で行うことができ、カバー材２６のフィルタ装着口２１ａの周縁部への取り付け、取り外しをワンタッチで行うことができるようになっている。
【００３０】
また、図３に示す例では、カバー材２６の周辺部２６ａの一辺と、ユニット本体２１下端のフィルタ装着口２１ａの枠材２４の一辺とに蝶番３０を取り付け、カバー材２６が蝶番３０を介して開閉自在となっている。このため、フィルタの保守点検、性能試験或いは交換作業を行う場合、カバー材２６を開閉させるだけで良く、カバー材２６を取り外して一旦別の場所に移して作業を行うという必要がなく、より効率的なフィルタの保守点検、性能試験或いは交換作業を行うことができる。
【００３１】
また、図４に示す例では、枠体２４という別部材を使用しないで、ユニット本体２１下端の折曲部分そのものを周縁部とし、この部分にファスナーの雌部材が設けている。図４に示す雌部材は、図３に示すものと同じであり、雄部材が挿入される貫通孔と、前記雄部材を貫通孔に挿入した時に前記雄部材の被係合部に係合する係合バネとを備えた固定板からなるもの、すなわち、一対の板バネ２９、２９を固定板２８の貫通孔（図示しない）周りから同貫通孔（図示しない）を跨るように立ち上げて前記各板バネ２９、２９先端が突き合わせ状態となるように取り付けたものを用いた。
【００３２】
ユニット本体２１下端の周縁部に設けるファスナーの雌部材およびカバー材２６の周辺部２６ａに設けるファスナーの雄部材の例としては、上記のものの他、例えば図５に示すものも使用することができる。このファスナーの場合、カバー材２６の周辺部２６ａに設ける雄部材については、先端部周面の軸方向と交叉する方向となるよう一カ所に線状凹部３７ａを形成したピン３７であるが、ユニット本体２１下端の周縁部（枠材２４）に設ける雌部材は、両端部をコイル状に巻回して取り付け部３８ａとすると共に、前記両端部を結ぶ直線部分３８ｂに前記ピン３７の線状凹部３７ａが係合する係合バネ３８からなる。係合バネ３８は両端部の取り付け部３８ａを利用してユニット本体２１下端の周縁部（枠材２４）にビス（図示しない）などで取り付けられるようになっている。
【００３３】
このファスナーの場合、ピン３７を押圧して右へ９０°回転させると、その先端部分が係合バネ３８の係合部分となる直線部分３８ｂに当接して、ピン３７の先端部周面に形成した線状凹部３７ａに直線部分３８ｂが係合するようになっている。また、係合を解除する場合は、ピン３７を左へ９０°回転させることで、ピン３７の線状凹部３７ａから直線部分３８ｂが外れるようになっている。このファスナーの場合も、ピン３７の押圧、回転という単純操作で、カバー材のフィルタ装着口周縁部への取り付け、取り外しをワンタッチで行うことができるようになっている。
【００３４】
尚、本発明は、上述の例に限定されるものではなく、特許請求の範囲に記載した範囲内で自由に変更して実施することができる。
【図面の簡単な説明】
【００３５】
【図１】本発明のユニットを示す組み立て斜視図。
【図２】本発明のユニットを天井裏に設置した状態を示す正面図。
【図３】図２のＣＤ線で囲んだ部分の要部拡大図。
【図４】本発明のユニットの別例を示した要部拡大図。
【図５】本発明のユニットのさらに別の例を示した要部拡大図。
【図６】従来のユニットを天井裏に設置した状態を示す正面図。
【図７】図６のＡＢ線で囲んだ部分の要部拡大図。
【図８】従来のユニットを天井裏に設置した状態を示す正面図。
【図９】同じく要部拡大図。
【符号の説明】
【００３６】
２１              ・・・ユニット本体
２１ａ            ・・・フィルタ装着口
２２              ・・・導風ダクト接続口
２３              ・・・フィルタ
２４                ・・・枠体
２６              ・・・カバー材
２６ａ            ・・・カバー材周辺部
２７、３７        ・・・ピン
２７ａ、３７ａ    ・・・線状凹部
２８              ・・・固定板
２９              ・・・板バネ
３０              ・・・蝶番
３８              ・・・係合バネ
３８ａ            ・・・両端部（取り付け部分）
３８ｂ            ・・・直線部分（係合部分）
【図１】
2006263652.tif 000003
【図２】
2006263652.tif 000004
【図３】
2006263652.tif 000005
【図４】
2006263652.tif 000006
【図５】
2006263652.tif 000007
【図６】
2006263652.tif 000008
【図７】
2006263652.tif 000009
【図８】
2006263652.tif 000010
【図９】
2006263652.tif 000011